(57)【要約】【課題】本発明はカーボンリボン回収装置を提供する。【解決手段】該カーボンリボン回収装置は、カーボンリボン供給軸１００と、カーボンリボン回収軸２００と、を含み、カーボンリボン回収軸２００は、第１のクラッチシート２１１と、第２のクラッチシート２１２と、摩擦部材２１３と、回収ギヤ２１４と、回転軸２１５と、を含み、回転軸２１５はプリンターのハウジング４００上に架設されてカーボンリボン７００を支持し、第１のクラッチシート２１１、第２のクラッチシート２１２、摩擦部材２１３、回収ギア２１４は順次前記回転軸２１５上に設けられ、第１のクラッチシート２１１は回転軸２１５と同期して回転し、回収ギア２１４、摩擦部材２１３、第２のクラッチシート２１２は回転軸２１５を軸に回転可能であって、回収ギア２１４は、カーボンリボン伝動装置３００の働きで回転し、それに伴って摩擦部材２１３が回転し、さらに第２のクラッチシート２１２に同じ方向の回転力を与え、第２のクラッチシート２１２は所定の方向に向かって回転する場合、第１のクラッチシート２１１と係合し、該所定の方向の逆方向に向かって回転する場合、両者は係合状態から離脱する。本発明は、また該カーボンリボン回収装置を備える熱転写プリンターを提供する。【選択図】図２
2011515247.tif 000002
【特許請求の範囲】
【請求項１】
カーボンリボン供給軸と、カーボンリボン回収軸と、カーボンリボン伝動装置と、を含むカーボンリボン回収装置であって、
前記カーボンリボン回収軸は、第１のクラッチシートと、第２のクラッチシートと、摩擦部材と、回収ギヤと、回転軸と、を含み、
前記回転軸は、プリンターのハウジング上に架設されてカーボンリボンを支持し、
前記第１のクラッチシートと、第２のクラッチシートと、摩擦部材と、回収ギアは順次前記回転軸上に設けられ、
前記第１のクラッチシートは前記回転軸に同期して回転し、
前記回収ギア、摩擦部材、第２のクラッチシートは前記回転軸を軸に回転可能であって、
前記回収ギアは、前記カーボンリボン伝動装置の働きで回転し、それに伴って摩擦部材が回転し、さらに第２のクラッチシートに対し、同じ方向の回転力を与え、
前記第２のクラッチシートは所定の方向に向かって回転する場合、前記第１のクラッチシートと係合し、該所定の方向の逆方向に向かって回転する場合、両者は係合状態から離脱することを特徴とするカーボンリボン回収装置。
【請求項２】
前記第１のクラッチシートには、少なくとも一つの高点と一つの低点が設けられ、高点と低点との間で均一に遷移し、第１の曲面を形成し、前記第２のクラッチシートには、少なくとも一つの高点と一つの低点が設けられ、高点と低点との間で均一に遷移し、第２の曲面を形成し、第１の曲面と第２の曲面が適応することを特徴とする請求項１に記載のカーボンリボン回収装置。
【請求項３】
前記回転軸のカーボンリボンに近隣する一端は、カーボンリボンコアの一端のみを支持することを特徴とする請求項１に記載のカーボンリボン回収装置。
【請求項４】
前記回転軸のカーボンリボンに近隣する一端は、カーボンリボンコアを貫通することを特徴とする請求項１に記載のカーボンリボン回収装置。
【請求項５】
前記摩擦部材がフェルトパッドであることを特徴とする請求項１乃至４の中のいずれかに記載のカーボンリボン回収装置。
【請求項６】
前記第１のクラッチシートは、第１の取付孔と、第１の端面と、二つの第１の曲面と、を含み、
前記二つの第１の曲面は、前端と後端が互いに接続されると共に、前記第１の取付孔を円心とし、第１の端面上に均一に分布され、
前記第１の取付孔は、前記第１のクラッチシートの中心に位置し、その横断面の形状は、前記回転軸の形状に適応することを特徴とする請求項２に記載のカーボンリボン回収装置。
【請求項７】
前記第２のクラッチシートは、第２の取付孔と、第２の端面と二つの第２の曲面と、を含み、
前記二つの第２の曲面は、前端と後端が互いに接続されると共に、前記第２の取付孔を円心とし、第２の端面上に均一に分布され、
前記第２の取付孔は、前記第２のクラッチシートの中心に位置し、その横断面の形状は、前記回転軸の形状に適応することを特徴とする請求項２又は６に記載のカーボンリボン回収装置。
【請求項８】
前記第１の曲面と第２の曲面がネジ面又は斜面であることを特徴とする請求項２に記載のカーボンリボン回収装置。
【請求項９】
前記第１のクラッチシート又は第２のクラッチシートの材料がプラスチック、又は優れた弾性を有する金属又は合金であることを特徴とする請求項１に記載のカーボンリボン回収装置。
【請求項１０】
請求項１乃至９のいずれかに記載のカーボンリボン回収装置を備えることを特徴とするプリンター。
【発明の詳細な説明】
【技術分野】
【０００１】
本出願は、２００８年３月２６日に中国特許局に提出された発明名称が「熱転写型プリンターのカーボンリボン回収装置」である特許出願（出願番号２００８１００８４０８２．７）の優先権を主張し、そのすべての内容を援用することによって本願に結合する。
【０００２】
本発明は、機械分野に関し、より具体的には、カーボンリボン回収装置及びそれを備えるプリンターに関する。
【背景技術】
【０００３】
周知のように、熱転写型プリンターのプリント原理は、プリンターヘッドを加熱した後、カーボンリボン上の染料をプリント媒体に転写することである。このような方式により、プリント後の用紙の保存時間がサーマルヘッドプリント後の用紙の保存時間を大幅に超えるようになる。従って、熱転写型プリンターは、道路、鉄道、電気通信、衣料品及び他の分野における帳票類のプリントに広く使われている。
【０００４】
現在、国内外の熱転写型プリンターには、少なくとも以下の問題が存在する：
１、カーボンリボンと帳票の戻りが同期でないため、帳票の表面がカーボンリボンによって汚れる。
２、カーボンリボンに皺が出やすいため、プリント質が低下する。
３、カーボンリボンの回収が安定せず、カーボンリボンが緩み、給紙及びプリントの品質に影響を与える。
【０００５】
前記の問題を解決するために、中国特許（出願番号：ＣＮ２００５２０１２２０３５．９）には、ケーシング、調節カバー、前カーボンリボンローラ軸、圧縮バネ、外摩擦シート、ギア左摩擦シート、ギア、スライドカバー、軸受け、前カーボンリボンローラベース、前カーボンリボンローラ、スライダー、凸部前端、シートバネ、ハンドルなどのブロックからなる前カーボンリボンローラ巻き出し装置と、係合リング、後カーボンリボンロール軸、軸受け、トーションバネ、後カーボンリボンローラ位置決めカバー、内摩擦シート、外摩擦シート、軸カバー、後カーボンリボンローラ、バネ鋼シート、スライドシート、圧縮バネ、後カーボンリボンローラ端部カバーなどのブロックからなる後カーボンリボンローラ巻き取り装置と、を含む熱転写型帳票製作機のカーボンリボン回収装置が公開されている。
【０００６】
このように、前記装置は、数多くの部品を備えているため、組み立てが複雑であり、コストが高い。
【先行技術文献】
【特許文献】
【０００７】
【特許文献１】中国特許出願ＣＮ２００５２０１２２０３５．９号
【発明の開示】
【発明が解決しようとする課題】
【０００８】
前記問題に鑑み、本発明は、既存技術において、部品の数が多く、組み立てが複雑になる問題を解決するためのカーボンリボン回収装置及びそれを備えたプリンターを提供することを目的とする。
【課題を解決するための手段】
【０００９】
本発明は、熱転写型プリンターに用いられるカーボンリボン回収装置であって、カーボンリボン供給軸と、カーボンリボン回収軸と、カーボンリボン伝動装置と、を含み、前記カーボンリボン回収軸は、第１のクラッチシートと、第２のクラッチシートと、摩擦部材と、回収ギヤと、回転軸と、を含み、前記回転軸はプリンターのハウジング上に架設されてカーボンリボンを支持し、前記第１のクラッチシートと、第２のクラッチシートと、摩擦部材と、回収ギアは順次前記回転軸上に設けられ、前記第１のクラッチシートは前記回転軸と同期して回転し、前記回収ギアと、摩擦部材と、第２のクラッチシートは前記回転軸を軸に回転可能であって、前記回収ギアは、前記カーボンリボン伝動装置の働きで回転し、それに伴って摩擦部材が回転し、さらに第２のクラッチシートに対し、同じ方向の回転力を与え、前記第２のクラッチシートは所定の方向に向かって回転する場合、前記第１のクラッチシートと係合し、該所定方向の逆方向に向かって回転する場合、両者は係合状態から離脱するカーボンリボン回収装置によって実現される。
【００１０】
前記第１のクラッチシートには、少なくとも一つの高点と一つの低点が設けられ、高点と低点との間が均一に遷移し、第１の曲面を形成し、前記第２のクラッチシートには、少なくとも一つの高点と一つの低点が設けられ、高点と低点との間が均一に遷移し、第２の曲面を形成し、第１の曲面と第２の曲面が適応することが好ましい。
【００１１】
前記回転軸のカーボンリボンに近隣する一端は、カーボンリボンコアの一端のみを支持することが好ましい。
【００１２】
前記回転軸のカーボンリボンに近隣する一端は、カーボンリボンコアを貫通することが好ましい。
【００１３】
前記摩擦部材は、フェルトパッドであることが好ましい。
【００１４】
前記第１のクラッチシートは、第１の取付孔と、第１の端面と、二つの第１の曲面と、を含み、前記二つの第１の曲面は、前端と後端が互いに接続されると共に、前記第１の取付孔を円心とし、第１の端面上に均一に分布され、前記第１の取付孔は、前記第１のクラッチシートの中心に位置し、その横断面の形状は、前記回転軸の形状に適応することが好ましい。
【００１５】
前記第２のクラッチシートは、第２の取付孔と、第２の端面と、二つの第２の曲面と、を含み、前記二つの第２の曲面は、前端と後端が互いに接続されると共に、前記第２の取付孔を円心とし、第２の端面上に均一に分布され、前記第２の取付孔は、前記第２のクラッチシートの中心に位置し、その横断面の形状は、前記回転軸の形状に適応することが好ましい。
【００１６】
前記第１の曲面と第２の曲面は、ネジ面又は斜面であることが好ましい。
【００１７】
前記第１のクラッチシート又は第２のクラッチシートの材料は、プラスチック、又は優れた弾性を有する金属又は合金であることが好ましい。
【００１８】
また、本発明の実施例によって、前記カーボンリボン回収装置を備えることで、既存のプリンターと区別されるプリンターが開示される。
【発明の効果】
【００１９】
このように、既存技術に比べ、本発明の実施例によると、部品が少なく、構造が簡単であるため、組み立て工程が簡単になり、ハードコスト及び人件費を削減することができる。そして、クラッチシートが互いに係合する構造を採用し、一方向に回転させると同期して回転する特性によって、カーボンリボンを巻き取るときの抵抗を低減することができる。
【図面の簡単な説明】
【００２０】
本発明の実施例又は既存技術における発明を明確に説明するため、以下、実施例又は既存技術の説明に用いられる図面を簡単に説明する。但し、以下の図面は、本発明の実施例に過ぎず、当業者にとっては、創造的労働を経ず、これらの図面に基づき、他の図面を得られることは自明なものである。
【図１】本発明に係わるカーボンリボン回収装置の実施例１の構造を示す図である。
【図２】前記実施例におけるカーボンリボン回収軸の構造を示す図である。
【図３】前記実施例における第１のクラッチシートの斜視図である。
【図４】前記実施例における第２のクラッチシートの斜視図である。
【図５】本発明の実施例２における第１のクラッチシートと第２のクラッチシートの側視図である。
【図６】前記実施例１の組み立て図である。
【図７】本発明の実施例３におけるカーボンリボン回収軸の組み立て図である。
【図８】本発明の実施例４におけるカーボンリボン回収軸の構造を示す図である。
【発明を実施するための形態】
【００２１】
本発明の実施例により、数少ない部品から構成され、カーボンリボンとプリント媒体との間の同期が改善されるカーボンリボン回収装置が開示される。
【００２２】
当業者が本発明を更によく理解するように、以下、図面と実施例に合わせ、本発明を詳しく説明する。
【００２３】
図１は、本発明に係わるカーボンリボン回収装置の実施例１の構造を示す図である。
【００２４】
本実施例は、カーボンリボン供給軸１００と、カーボンリボン回収軸２００と、カーボンリボン伝動装置３００（図示しない）と、を含み、前記カーボンリボン供給軸１００とカーボンリボン回収軸２００はプリンターハウジング４００に設けられ、カーボンリボンは前記カーボンリボン供給軸１００から引き出され、プリントヘッド５００とプリントローラ６００との間の隙間を通過して、カーボンリボン回収軸２００上に巻きつけられる。
【００２５】
プリンター動作時、カーボンリボン伝動装置３００の駆動によって、前記のカーボンリボン供給軸１００とカーボンリボン回収軸２００は、矢印方向に回転し、カーボンリボン７００の供給と回収を行う。
【００２６】
図２は、前記実施例におけるカーボンリボン回収軸２００の第１の構造を示す図である。
【００２７】
前記カーボンリボン回収軸２００は、第１のクラッチシート２１１と、第２のクラッチシート２１２と、摩擦部材２１３と、回収ギア２１４と、回転軸２１５と、を含む。
【００２８】
ここで、前記回転軸２１５は、軸心と軸体とに分けられ、前記軸体は、使用済みのカーボンリボンを巻き取って支持するもので、説明の便宜上、以下纏めてカーボンリボン支持軸２１５aと称し、前記軸心は、第１の取付軸２１５ｂと、第２の取付軸２１５ｃと、第３の取付軸２１５ｄの三つの部分に分けられる。ここで、前記第１の取付軸２１５ｂは、プリンターハウジング４００と結合するためのもの、つまり、前記カーボンリボン回収軸２００は前記第１の取付軸２１５ｂを介し、プリンターハウジング４００に装着される。回収ギア２１４と、摩擦部材２１３と、第２のクラッチシート２１２は、順次、第２の取付軸２１５ｃを貫通し、回転軸２１５の軸線を中心に回転する。
【００２９】
前記摩擦部材２１３は、回収ギア２１４の回転に伴い、回収ギア２１４に同期して回転すると共に、隣接した第２のクラッチシート２１２に同方向の回転力を与え、該第２のクラッチシート２１２を同期して回転させる。
【００３０】
前記第１のクラッチシート２１１は、第３の取付軸２１５ｄに接続し固定され、両方は相対的に静止の状態におかれる。
【００３１】
前記カーボンリボン回収軸２００には、制限部２１６と制限部２１６′からなる制限部材が設けられる。
【００３２】
該二つの制限部（制限部２１６と制限部２１６′）は、それぞれ前記第１のクラッチシート２１１の一方と前記回収ギア２１４のカーボンリボン支持軸２１５aに向かう一方に設けられ、前記第１のクラッチシート２１１、第２のクラッチシート２１２、摩擦部材２１３、回収ギア２１４の軸方向における動きを制限し、各ユニット間の位置関係を保持する。
【００３３】
前記制限部２１６と制限部２１６′は、開口のリングであってもよく、制限機能を持つ他の部材であってもよい。その機能特性に対する要求に応じ、当業者は他の代替部材を容易に考え付くことができる。
【００３４】
前記摩擦部材２１３は、フェルトパッドなどの摩擦性のある摩擦部材であってよく、回転ギア２１４に伴って回転可能であり、隣接する部材に回転力を与える部材であってもよい。本実施例に基づき、当業者は他の代替形態を容易に考え付くことができる。
【００３５】
図３は、前記実施例における第１のクラッチシートの斜視図である。
【００３６】
前記第１のクラッチシート２１１は、曲面２１１１と、曲面２１１２と、第１の取付孔２１１３と、端面２１１４と、を含む。
【００３７】
ここで、前記曲面２１１１と曲面２１１２は、二つの同一形状のネジ面であり、前端と後端が接続されると共に、前記第１の取付孔２１１３を円心とし、端面２１１４（端面２１１４は、平面であってもよい）に均一に分布されている。前記第１の取付孔２１１３は、前記第１のクラッチシート２１１の中心に位置し、その横断面の形状は、前記第３の取付軸２１５ｄの断面の形状に適応する。
【００３８】
該第１の取付孔２１１３の形状は、前記第１の取付孔２１１３と前記第３の取付軸２１５ｄが相対的に静止するよう保持できる形状であればよく、例えば、任意の不規則な形状、又は矩形、菱形、又は円形を除くその他の規則的な形状であることができる。
【００３９】
具体的な例として、前記第１の取付孔２１１３に位置決め面２１１３aが設けられ、前記第３の取付軸２１５ｄ上の位置決め面と結合し、前記第１のクラッチシート２１１と第３の取付軸２１５ｄを接続して固定し、相対的に静止する状態になるようにする。
【００４０】
図４は、前記実施例における第２にクラッチシートの斜視図である。
【００４１】
第２のクラッチシート２１２の構造は、前記第１のクラッチシート２１１と同一で、曲面２１２１と、曲面２１２２と、第２の取付孔２１２３と、端面２１２４（端面２１２４は、平面であってもよい）と、を含む。前記曲面２１２１と、曲面２１２２は、二つの同一形状のネジ面であり、前端と後端が接続され、前記第２の取付孔２１２３を円心とし、端面２１２４上に均一に分布されている。
【００４２】
前記第２の取付軸２１５ｃは、前記第２の取付孔２１２３を通過し、前記第２のクラッチシート２１２は、第２の取付軸２１５ｃの軸線を中心に自由に回転する。
【００４３】
なお、他の実施例において、第２のクラッチシート２１２が所定の方向に向かって回転する場合、第１のクラッチシート２１１と係合し、第２のクラッチシート２１２が所定の方向の逆方向に向かって回転する場合、第１のクラッチシート２１１との係合が解除される条件を満たすのであれば、前記第１のクラッチシート２１１と第２のクラッチシート２１２の端面における曲面の数は任意である。
【００４４】
例えば、他の実施例において、前記第１のクラッチシート２１１上の曲面と前記第２のクラッチシート２１２上の曲面の数は一つであってもよい。つまり、前記第１のクラッチシート２１１の端面に一つの高点と一つの低点が設けられ、高点と低点との間で均一に遷移する。同様に、前記第２のクラッチシート２１２の端面に一つの高点と一つの低点が設けられ、高点と低点との間で均一に遷移する。図５は、本発明の実施例２における第１のクラッチシートと第２にクラッチシートの側視図である。
【００４５】
図６は、前記実施例の組み立て図である。
【００４６】
組み立て済み状態において、前記曲面２１２１、曲面２１２２、第２の取付孔２１２３、端面２１２４は、それぞれ前記第１のクラッチシート２１１の曲面２１１１、曲面２１１２、第１の取付孔２１１３、端面２１１４の位置に対向し、前記曲面２１１１と曲面２１２１の軌跡は合致する。同様に、前記曲面２１１２と曲面２１２２の軌跡も合致する。従って、前記第１のクラッチシート２１１と第２のクラッチシート２１２は係合される。
【００４７】
なお、前記第１のクラッチシート２１１と第２のクラッチシート２１２の曲面は通常の斜面であってもよく、又は二つのクラッチシートがある方向に回転する際に押し付け、他の方向に回転する際に離脱する特性を持つ構造であってもよい。
【００４８】
また、前記の特性を実現するためには、前記クラッチシート（第１のクラッチシート２１１と第２のクラッチシート２１２）と前記摩擦部材２１３との中の一方又は両方とも弾性を持つ必要がある。
【００４９】
以下、図１と図６を結合し、本発明の実施例の動作プロセス及び動作原理を詳しく説明する。
【００５０】
プリンター動作時、リボン伝動装置３００の働きで、カーボンリボン供給軸１００が回転し、カーボンリボン７００を送り出すと共に、カーボンリボン回収軸２００が動作し始まる。回収ギア２１４が軸を中心にA方向に沿って回転すると共に、摩擦部材２１３を同期して回転させ、さらに第２のクラッチシート２１２を回転させる。前記第１のクラッチシート２１１と第２のクラッチシート２１２が係合しているため、前記第２のクラッチシート２１２の回転に伴い、第１のクラッチシート２１１が回転する。第１のクラッチシート２１１が回転軸２１５に接続して固定され、相対的に静止する状態であるため、第１のクラッチシート２１１の回転に伴い、回転軸２１５が回転し、使用済みのカーボンリボンがカーボンリボン回収軸２００に巻きつけられることになる。
【００５１】
カーボンリボンを戻す場合、カーボンリボン伝動装置３００の働きで、カーボンリボン回収軸２００の回収ギア２１４が軸を中心にA方向（図１に示す矢印方向）の逆方向に沿って回転し、それに伴って摩擦部材２１３が回転し、さらに第２のクラッチシート２１２が回転する。前記第２のクラッチシート２１２と第１のクラッチシート２１１とは元の係合状態から離脱され、このとき、前記第１のクラッチシート２１１又は第２のクラッチシート２１２又は摩擦部材２１３が弾性を持っているため、第１のクラッチシート２１１は、第２のクラッチシート２１２の回転に伴って回転しないことから、カーボンリボンを戻す際の抵抗が低減され、カーボンリボンを容易に戻すことができる。
【００５２】
前記の実施例において、前記摩擦部材２１３が摩擦部材（例えば、フェルトパッド）である場合、前記第２のクラッチシート２１２と前記摩擦部材との間の摩擦力を増やすために、前記第２のクラッチシート２１２の端面２１２４の半径を大きくしているので、外観から見ると、該端面２１２４と前記曲面２１２１及び曲面２１２２との間に段差がある。ここで、説明しておくことは、本発明により、該端面の具体的な形状が限定されず、本発明の実施例によると、当業者は創造的労働を経ずに、該端面に対し、変形を与えることができる。
【００５３】
なお、本発明により、回転軸の形状及び構造が限定されず、該回転軸は二の部分に分けられ、一部分には第１のクラッチシート、第２のクラッチシート、摩擦パッド、回収ギアなどの伝動部材が装着され、他の一部分は長軸状に形成させられ、カーボンリボンコアを通過し、カーボンリボン全体を支持するように、又は短軸状に形成させられ、カーボンリボンコアの一端を支持するようにすることができる。図７は、本発明の実施例３のカーボンリボン回収軸の構造を示す図である。
【００５４】
図８は、本発明の実施例４におけるカーボンリボン回収軸の構造を示す図である。上述した実施例を基に、本実施例は前記曲面２１２１と曲面２１２２の縁部を前記端面１２４の縁部に設け、該形態である場合、外観からみると、該端面２１２４の半径は、前記曲面２１２１と曲面２１２２の外側面から軸線までの距離と同じである。
【００５５】
このように、既存技術に比べ、前記実施例は部品が少なく、構造が簡単であるため、組み立て工程が簡単になり、ハードコスト及び人件費を低減することができる。そして、クラッチシートが互いに係合する構造を利用し、一方向に沿って回転する際、同期して回転する特性によって、カーボンリボンを戻す際、その抵抗が小さくなる。
【００５６】
なお、前記カーボンリボン回収装置を備えるプリンターも本発明の保護範囲内に属し、該プリンターは熱転写型プリンター又は熱昇華型プリンターであることが可能であり、本体とハウジングとを含み、前記カーボンリボン回収装置は、本体に設けられ、本体における他の部材との位置関係及びハウジングとの位置関係は、既存技術と同一又は類似するものである。
【００５７】
開示された実施例の前記説明により、当業者は本発明を実現又は利用することが可能である。これらの実施例に対する各種補正は、当業者にとって自明なものであり、本発明の精神又は範囲を逸脱しない限り、本願に定義された通常の原理を他の実施例において実現することができる。従って、本発明は、前記の実施例により限定されず、前記の内容に開示された原理及び新規特徴と一致する最も広い範囲をカバーする。
【図１】
2011515247.tif 000003
【図２】
2011515247.tif 000004
【図３】
2011515247.tif 000005
【図４】
2011515247.tif 000006
【図５】
2011515247.tif 000007
【図６】
2011515247.tif 000008
【図７】
2011515247.tif 000009
【図８】
2011515247.tif 000010
【国際調査報告】
2011515247.tif 000011
2011515247.tif 000012
2011515247.tif 000013
2011515247.tif 000014
2011515247.tif 000015
2011515247.tif 000016
2011515247.tif 000017